(57)【特許請求の範囲】
【請求項１】
モデル画像を含む電子書籍データを記憶する記憶手段と、
ユーザ画像を取得する画像取得手段と、
前記画像取得手段により取得されたユーザ画像と、前記電子書籍データ内のモデル画像とを照合して、照合したモデル画像を前記ユーザ画像に置き換える画像編集手段と、
を備え、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、同一の場所であると判定した場合に、当該同一の場所で撮像されたテンプレート画像を取得し、前記テンプレート画像の背景画像として選択された画像に、前記ユーザ画像を合成することを特徴とする情報処理装置。
【請求項２】
モデル画像を含む電子書籍データを記憶する記憶手段と、
ユーザ画像を取得する画像取得手段と、
前記画像取得手段により取得されたユーザ画像と、前記電子書籍データ内のモデル画像とを照合して、照合したモデル画像を前記ユーザ画像に置き換える画像編集手段と、
を備え、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、前記電子書籍データに同一の場所の画像が存在しないと判定した場合に、前記ユーザ画像を前記電子書籍データに追加することを特徴とする情報処理装置。
【請求項３】
モデル画像を含む電子書籍データを記憶する記憶手段と、
ユーザ画像を取得する画像取得手段と、
前記画像取得手段により取得されたユーザ画像と、前記電子書籍データ内のモデル画像とを照合して、照合したモデル画像を前記ユーザ画像に置き換える画像編集手段と、
を備え、
前記ユーザ画像と、前記電子書籍データ内のモデル画像とはそれぞれ位置情報を含み、
前記画像編集手段は、前記ユーザ画像に含まれる位置情報に基づいて、前記電子書籍データ内のモデル画像を選択して、画像を編集し、
前記電子書籍データは、店舗情報を含み、
前記ユーザ画像に含まれる位置情報に基づいて、前記店舗情報に含まれる店舗を訪問したと判定した場合に、当該店舗を訪問したことを示す訪問結果に基づいて、当該訪問された店舗に広告費を請求する広告費請求手段を更に備えることを特徴とする情報処理装置。
【請求項４】
前記ユーザ画像は、時間情報を含み、
前記画像編集手段は、前記置き換えた後の電子書籍データの各ページを、当該ページ内の画像の時間順に並び替えることを特徴とする請求項１〜３のいずれか一項に記載の情報処理装置。
【請求項５】
前記画像取得手段によるユーザ画像の取得が終了したことを検知すると、前記画像編集手段により編集された前記電子書籍データを他の端末に配布する配布手段を更に備えることを特徴とする請求項１〜４のいずれか一項に記載の情報処理装置。
【請求項６】
コンピュータを、
ユーザ画像を取得する画像取得手段、
前記画像取得手段により取得されたユーザ画像と、記憶手段に記憶された電子書籍データ内のモデル画像とを照合して、照合したモデル画像を前記ユーザ画像に置き換える画像編集手段、
として機能させ、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、同一の場所であると判定した場合に、当該同一の場所で撮像されたテンプレート画像を取得し、前記テンプレート画像の背景画像として選択された画像に、前記ユーザ画像を合成することを特徴とするプログラム。
【請求項７】
コンピュータを、
ユーザ画像を取得する画像取得手段、
前記画像取得手段により取得されたユーザ画像と、記憶手段に記憶された電子書籍データ内のモデル画像とを照合して、照合したモデル画像を前記ユーザ画像に置き換える画像編集手段、
として機能させ、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、前記電子書籍データに同一の場所の画像が存在しないと判定した場合に、前記ユーザ画像を前記電子書籍データに追加することを特徴とするプログラム。
【請求項８】
コンピュータを、
ユーザ画像を取得する画像取得手段、
前記画像取得手段により取得されたユーザ画像と、記憶手段に記憶された電子書籍データ内のモデル画像とを照合して、照合したモデル画像を前記ユーザ画像に置き換える画像編集手段、
として機能させ、
前記ユーザ画像と、前記電子書籍データ内のモデル画像とはそれぞれ位置情報を含み、
前記画像編集手段は、前記ユーザ画像に含まれる位置情報に基づいて、前記電子書籍データ内のモデル画像を選択して、画像を編集し、
前記電子書籍データは、店舗情報を含み、
前記ユーザ画像に含まれる位置情報に基づいて、前記店舗情報に含まれる店舗を訪問したと判定した場合に、当該店舗を訪問したことを示す訪問結果に基づいて、当該訪問された店舗に広告費を請求する広告費請求手段として更に機能させるためのプログラム。
【発明の詳細な説明】
【技術分野】
【０００１】
本発明は、情報処理装置及びプログラムに関する。
【背景技術】
【０００２】
従来、テキストや画像を含む表示内容を、画面上で書籍のページのように取り扱うことが可能な電子書籍データが知られている。かかる電子書籍データは、電子書籍データを閲覧するための端末装置により閲覧することができる。インターネット上には多くのオンライン書店が開設されており、ユーザは、端末装置を用いてオンライン書店を選択し、所望する電子書籍を有償又は無償でダウンロードする権利を取得する。そして、ユーザは、このダウンロード権利が有効な期間内で、端末装置を用いて電子書籍データを随時ダウンロードすることができる。
また、上記の電子書籍データを作成し、配信するための情報処理システムが開示されている（例えば、特許文献１）。上記の情報処理システムにより作成された電子書籍データは、オンライン書店の配信サーバによりネットワーク上に公開され、端末装置から行われる電子書籍データの取得要求に応じて配信される。
【先行技術文献】
【特許文献】
【０００３】
【特許文献１】特開２００７−１５６７８３号公報
【発明の概要】
【発明が解決しようとする課題】
【０００４】
しかしながら、上記従来の技術では、配信サーバにより配信される電子書籍データは、予め配信者により所定の内容に定められたものであり、その内容、特に、電子書籍データの各ページ内の画像を、ユーザ好みに自由に編集することはできなかった。従って、電子書籍データの購読者からすれば、なかなか感情移入することが難しく、興味を引きにくいという問題がある。
【０００５】
本発明は、電子書籍データの画像を編集可能にして、ユーザの興味を引き付けることが可能な情報処理装置及びプログラムを提供することを目的とする。
【課題を解決するための手段】
【０００６】
請求項１に記載の発明は、上記目的を達成するためになされたものであり、
情報処理装置において、
モデル画像を含む電子書籍データを記憶する記憶手段と、
ユーザ画像を取得する画像取得手段と、
前記画像取得手段により取得されたユーザ画像と、前記電子書籍データ内のモデル画像とを照合して、照合したモデル画像を前記ユーザ画像に置き換える画像編集手段と、
を備え、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、同一の場所であると判定した場合に、当該同一の場所で撮像されたテンプレート画像を取得し、前記テンプレート画像の背景画像として選択された画像に、前記ユーザ画像を合成することを特徴とする。
請求項２に記載の発明は、上記目的を達成するためになされたものであり、
情報処理装置において、
モデル画像を含む電子書籍データを記憶する記憶手段と、
ユーザ画像を取得する画像取得手段と、
前記画像取得手段により取得されたユーザ画像と、前記電子書籍データ内のモデル画像とを照合して、照合したモデル画像を前記ユーザ画像に置き換える画像編集手段と、
を備え、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、前記電子書籍データに同一の場所の画像が存在しないと判定した場合に、前記ユーザ画像を前記電子書籍データに追加することを特徴とする。
請求項３に記載の発明は、上記目的を達成するためになされたものであり、
情報処理装置において、
モデル画像を含む電子書籍データを記憶する記憶手段と、
ユーザ画像を取得する画像取得手段と、
前記画像取得手段により取得されたユーザ画像と、前記電子書籍データ内のモデル画像とを照合して、照合したモデル画像を前記ユーザ画像に置き換える画像編集手段と、
を備え、
前記ユーザ画像と、前記電子書籍データ内のモデル画像とはそれぞれ位置情報を含み、
前記画像編集手段は、前記ユーザ画像に含まれる位置情報に基づいて、前記電子書籍データ内のモデル画像を選択して、画像を編集し、
前記電子書籍データは、店舗情報を含み、
前記ユーザ画像に含まれる位置情報に基づいて、前記店舗情報に含まれる店舗を訪問したと判定した場合に、当該店舗を訪問したことを示す訪問結果に基づいて、当該訪問された店舗に広告費を請求する広告費請求手段を更に備えることを特徴とする。
【００１１】
請求項４に記載の発明は、請求項１〜３のいずれか一項に記載の情報処理装置において、
前記ユーザ画像は、時間情報を含み、
前記画像編集手段は、前記置き換えた後の電子書籍データの各ページを、当該ページ内の画像の時間順に並び替えることを特徴とする。
【００１２】
請求項５に記載の発明は、請求項１〜４のいずれか一項に記載の情報処理装置において、
前記画像取得手段によるユーザ画像の取得が終了したことを検知すると、前記画像編集手段により編集された前記電子書籍データを他の端末に配布する配布手段を更に備えることを特徴とする。
【００１３】
請求項６に記載の発明は、
コンピュータを、
ユーザ画像を取得する画像取得手段、
前記画像取得手段により取得されたユーザ画像と、記憶手段に記憶された電子書籍データ内のモデル画像とを照合して、照合したモデル画像を前記ユーザ画像に置き換える画像編集手段、
として機能させ、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、同一の場所であると判定した場合に、当該同一の場所で撮像されたテンプレート画像を取得し、前記テンプレート画像の背景画像として選択された画像に、前記ユーザ画像を合成することを特徴とするプログラムである。
請求項７に記載の発明は、
コンピュータを、
ユーザ画像を取得する画像取得手段、
前記画像取得手段により取得されたユーザ画像と、記憶手段に記憶された電子書籍データ内のモデル画像とを照合して、照合したモデル画像を前記ユーザ画像に置き換える画像編集手段、
として機能させ、
前記ユーザ画像と、前記電子書籍データ内のモデル画像とはそれぞれ位置情報を含み、
前記画像編集手段は、前記ユーザ画像の位置情報と、前記電子書籍データ内のモデル画像の位置情報とに基づいて、前記電子書籍データに同一の場所の画像が存在しないと判定した場合に、前記ユーザ画像を前記電子書籍データに追加することを特徴とするプログラムである。
請求項８に記載の発明は、
コンピュータを、
ユーザ画像を取得する画像取得手段、
前記画像取得手段により取得されたユーザ画像と、記憶手段に記憶された電子書籍データ内のモデル画像とを照合して、照合したモデル画像を前記ユーザ画像に置き換える画像編集手段、
として機能させ、
前記ユーザ画像と、前記電子書籍データ内のモデル画像とはそれぞれ位置情報を含み、
前記画像編集手段は、前記ユーザ画像に含まれる位置情報に基づいて、前記電子書籍データ内のモデル画像を選択して、画像を編集し、
前記電子書籍データは、店舗情報を含み、
前記ユーザ画像に含まれる位置情報に基づいて、前記店舗情報に含まれる店舗を訪問したと判定した場合に、当該店舗を訪問したことを示す訪問結果に基づいて、当該訪問された店舗に広告費を請求する広告費請求手段として更に機能させるためのプログラムである。
【発明の効果】
【００１４】
本発明によれば、電子書籍データの画像を編集可能にして、ユーザの興味を引き付けることができる。
【図面の簡単な説明】
【００１５】
【図１】本実施形態に係る情報処理システムの概略構成を示す接続図である。
【図２】本実施形態に係るサーバ装置の主制御構成を示すブロック図である。
【図３】本実施形態に係る携帯端末の主制御構成を示すブロック図である。
【図４】本実施形態に係る携帯端末及びサーバ装置の動作の一例を示すフローチャートである。
【図５】電子書籍データのページ内でモデルが写っている画像の一例を示す図である。
【図６】図５の状態からモデルの画像をユーザ画像に置き換えた画像の一例を示す図である。
【図７】図５と同一の場所でユーザが実際に撮像した画像の一例を示す図である。
【図８】図５と同一の場所で撮像されたテンプレート画像の一例を示す図である。
【図９】ユーザが実際に撮像した画像とテンプレート画像とを合成した画像の一例を示す図である。
【図１０】変形例１に係る携帯端末及びサーバ装置の動作の一例を示すフローチャートである。
【発明を実施するための形態】
【００１６】
以下、本発明の実施の形態について、図面を参照して詳細に説明する。
【００１７】
［１．構成の説明］
以下、図面を参照しながら、この発明の一実施形態について詳しく説明する。
［１−１．システム構成の説明］
まず、本実施形態に係る情報処理システム１００の構成について説明する。
情報処理システム１００は、図１に示すように、サーバ装置１と、複数の基地局２と、複数の携帯端末３と、を備えて構成されている。この情報処理システム１００において、サーバ装置１と基地局２とは、通信ネットワークＮにより互いに通信可能に接続されている。通信ネットワークＮは、具体的には、インターネットや電気通信事業者等の電話回線網や携帯電話通信網等である。
【００１８】
サーバ装置１は、例えば、ＰＣ、ＷＳ（Work Station）等の情報機器であり、携帯端末３からのアクセスに応じて、所定の動作を行う。具体的には、サーバ装置１は、携帯端末３から所望の電子書籍データのダウンロード要求がなされると、指定された電子書籍データを携帯端末３に配信する配信サーバである。
【００１９】
基地局２は、携帯電話通信網などにおける無線基地局であり、携帯端末３と通信ネットワークＮとの間のデータ通信を中継する。このため、情報処理システム１００では、サーバ装置１と携帯端末３とが、互いに通信可能に接続されている。
【００２０】
携帯端末３は、スマートフォンやタブレットなどのスマートデバイス、携帯電話機、電子書籍データを閲覧するための専用端末（電子書籍ビューア）等の各ユーザが所持して使用する携帯型端末機器である。また、携帯端末３は、通信ネットワークＮ（具体的には、携帯端末３の通信回線や無線ＬＡＮ（Local Area Network）等）を用いて、サーバ装置１との間で相互に通信を行う。
【００２１】
［１−２．サーバ装置の構成の説明］
次に、サーバ装置１の構成について説明する。
サーバ装置１は、図２に示すように、制御部１１と、操作部１２と、表示部１３と、記憶部１４と、通信部１５と、を備えて構成されている。
【００２２】
制御部１１は、サーバ装置１の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバ装置１の各部を統括制御する。
【００２３】
操作部１２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部１１へと出力する。
【００２４】
表示部１３は、例えば、ＣＲＴ（Cathode Ray Tube）やＬＣＤ（Liquid Crystal Display）などのディスプレイを備え、制御部１１から出力された表示制御信号に基づいた画像を表示画面に表示する。
【００２５】
記憶部（記憶手段）１４は、例えば、ＨＤＤ（Hard disk drive）、半導体メモリなどにより構成さ
れ、プログラムデータや各種設定データ等のデータを制御部１１から読み書き可能に記憶する。また、記憶部１４は、サーバ装置１が配信権限を有する電子書籍データ等を記憶する。電子書籍データには、サーバ装置１の運営会社と提携する店舗の情報（提携店舗情報）が含まれる。提携店舗情報には、例えば、提携店舗の店舗名や提携店舗の位置情報等が含まれる。
【００２６】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。例えば、通信部１５は、記憶部１４に記憶された電子書籍データ及び提携店舗情報を携帯端末３に配信する。また、通信部１５は、画像取得手段として、携帯端末３から送信されたユーザ画像を受信する。さらに、通信部１５は、提携店舗情報に含まれる提携店舗を訪問したことを示す訪問結果を受信する。
【００２７】
［１−３．携帯端末の構成の説明］
次に、携帯端末３の構成について説明する。なお、以下の説明においては、携帯端末３としてスマートデバイスなどのタッチパネルを搭載した端末機器を例示して説明するが、携帯端末３はこれに限定されるものではなく、フィーチャーフォンやノート型パソコン、携帯ゲーム機、ナビゲーション機器などであってもよい。
携帯端末３は、図３に示すように、制御部３１と、操作部３２と、表示部３３と、記憶部３４と、現在位置取得部３５と、通信部３６と、撮像部３７と、を備えて構成されている。
【００２８】
制御部３１は、携帯端末３の動作を中央制御する。具体的には、制御部３１は、ＣＰＵ、ＲＯＭ、ＲＡＭなどを備えて構成され、ＲＡＭの作業領域に展開されたＲＯＭや記憶部３４に記憶されたプログラムデータとＣＰＵとの協働により、携帯端末３の各部を統括制御する。
【００２９】
操作部３２は、例えば、ホームボタンからなるキー入力部３２１と、表示部３３と一体的に形成されたタッチパネル３２２と、を備えており、ユーザからの操作入力を受け付けて、操作入力に応じた操作信号を制御部３１へと出力する。
表示部３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。また、表示部３３には、撮像部３７が起動された際に、被写体となる画像が表示される。
【００３０】
記憶部３４は、例えば、ＨＤＤ、半導体メモリなどにより構成され、プログラムデータや各種設定データ等のデータを制御部３１から読み書き可能に記憶する。
記憶部３４には、サーバ装置１から配信された電子書籍データ及び当該電子書籍データと関連する提携店舗情報、撮像部３７により撮像されたユーザの画像データ等が記憶される。なお、ユーザの画像データには、当該ユーザの画像データが撮像された場所を示す位置情報と、当該ユーザの画像データが撮像された時間と、が含まれている。
【００３１】
現在位置取得部３５は、ＧＰＳモジュール、自律航法ユニット等を備えて構成されている。ＧＰＳモジュールは、ＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて携帯端末３の絶対的な現在位置（緯度、経度）を検出し、検出した位置情報を基準位置情報として制御部３１に出力する。
【００３２】
通信部３６は、アンテナや通信回路を備え、制御部３１による制御の下で外部機器との間の無線通信を行う。具体的には、通信部３６は、基地局２で中継されることで、通信ネットワークＮを介してデータ通信を行う。例えば、通信部３６は、サーバ装置１から配信された電子書籍データ及び当該電子書籍データと関連する提携店舗情報を受信する。また、通信部３６は、撮像部３７により撮像されたユーザ画像をサーバ装置１に送信する。
【００３３】
撮像部（撮像手段）３７は、ユーザ操作に従って被写体を撮像して画像データを生成する。撮像部３７により、例えば、ユーザ自身の顔や全身が撮像されたユーザ画像データ、ユーザにより旅行先で撮像された撮像画像データなどが生成される。撮像部３７により生成された画像データは、記憶部３４に記憶される。
【００３４】
［２．動作の説明］
次に、本実施形態に係る情報処理システム１００における携帯端末３及びサーバ装置１の具体的な動作について、図４のフローチャートを参照して説明する。
まず、ユーザは、電子書籍データの閲覧に際し、携帯端末３を用いて所定のユーザ登録を行うことで、電子書籍データをダウンロードする権利を取得する。なお、ユーザ登録は、有償であっても無償であってもよい。そして、ユーザは、携帯端末３を用いてサーバ装置１から電子書籍データをダウンロードする。本実施形態では、ダウンロードされる電子書籍データは、例えば、京都旅行をガイドする内容のものであり、京都の主要な観光スポット毎にページが構成されている。電子書籍データの各ページは、観光スポットの画像や当該観光スポットを説明するテキストにより構成され、配信先により一の旅行プランとして予めおすすめのルート順に配置されている。また、ダウンロードされた電子書籍データには、当該電子書籍データと関連する提携店舗情報が含まれている。ダウンロードされた電子書籍データは、記憶部３４に記憶される。
そして、ユーザが、携帯端末３の操作部３２に対して所定の操作を行うことで、電子書籍データを表示部３３に表示させる処理が実行される。所定の操作としては、例えば、専用のアイコンを表示部３３に表示し、当該アイコンをユーザがタッチすること等が挙げられる。
【００３５】
携帯端末３の制御部３１は、ユーザにより電子書籍データを表示部３３に表示させるための所定の操作が行われたことを検出すると、記憶部３４に記憶されているユーザ画像を、サーバ装置１に送信する（ステップＳ１０１）。具体的には、制御部３１は、ユーザを被写体として撮像部３７により撮像されたユーザ画像を記憶部３４から読み出して、通信部３６を介してサーバ装置１に送信する。ユーザ画像は、顔画像であってもよいし、全身画像であってもよい。
【００３６】
次に、サーバ装置１の制御部１１は、携帯端末３によりダウンロードされた電子書籍データを記憶部１４から読み出して、当該された電子書籍データの各ページ内のモデル画像を、ユーザ画像に置き換える（ステップＳ２０１）。具体的には、制御部１１は、画像編集手段として、通信部１５により取得されたユーザ画像と、電子書籍データ内のモデル画像とを照合して、照合したモデル画像をユーザ画像に置き換える。ユーザ画像と電子書籍データ内のモデル画像とはそれぞれ撮像された場所を示す位置情報を含んでいる。照合方法としては、例えば、顔認識や位置情報の照合等があげられる。例えば、制御部１１は、図５及び図６に示すように、電子書籍データの金閣寺を特集するページの画像Ｇ１内で金閣寺を背景として写っているモデルの画像Ｍ１を、ステップＳ１０１で携帯端末３から送信されたユーザ画像Ｕ１に置き換える。ユーザ画像が顔画像の場合は、顔の部分のみを置き換え、全身画像の場合は、全身を置き換える。なお、図５及び図６に示す例では、ユーザ画像が顔画像の場合を例示しており、顔の部分のみを置き換えている。また、電子書籍データの他のページのモデル画像も同様にユーザ画像Ｕ１に置き換える。
次に、制御部１１は、ステップＳ２０１でユーザ画像Ｕ１に置換した電子書籍データを、通信部１５を介して携帯端末３に送信する（ステップＳ２０２）。
【００３７】
次に、携帯端末３の制御部３１は、ステップＳ２０２でサーバ装置１から送信された電子書籍データを、表示部３３に表示させる（ステップＳ１０２）。これにより、ユーザは、旅行前に旅行に行った気分を想像することができるので、感情移入し易く、旅行に対する興味を引き付けることができる。
次に、携帯端末３の制御部３１は、旅行先において撮像された画像と、当該撮像画像が撮像された時間と、当該撮像画像が撮像された場所の位置情報とを、サーバ装置１に送信する（ステップＳ１０３）。具体的には、制御部３１は、旅行先において撮像部３７により撮像された画像と、当該撮像画像が撮像された際に携帯端末３が内蔵する時計（図示省略）を参照して取得された撮像時間と、当該撮像画像が撮像された際に現在位置取得部３５により取得された撮像場所の位置情報とを、通信部３６を介してサーバ装置１に送信する。ステップＳ１０３でサーバ装置１に送信される撮像画像は、一枚であってもよいし、複数枚であってもよい。なお、図７は、ユーザＵ２が旅行先である金閣寺においてユーザＵ２自身を撮像部３７により実際に撮像した画像Ｇ３を示す図である。
【００３８】
次に、サーバ装置１の制御部１１は、ステップＳ１０３で携帯端末３から送信された撮像画像と撮像場所の位置情報とに基づいて、当該撮像画像が電子書籍データのページの画像と同一の場所で撮像されたものであるか否かを判定する（ステップＳ２０３）。ここで、同一の場所とは、全く同一の場所である場合に限られず、ページの画像内の最も特徴的な画像（例えば、図５における金閣寺）を撮像可能な場所をも含むものとする。
同一の場所で撮像されたものであると判定した場合（ステップＳ２０３：ＹＥＳ）は、当該撮像場所で撮像された画像の背景部分のテンプレート画像（図８参照）を、通信部１５を介して携帯端末３に送信する（ステップＳ２０４）。例えば、図８（Ａ）は、「晴れの日の日中」に撮像した金閣寺のテンプレート画像Ｔ１であり、図８（Ｂ）は、「晴れの日の夜間」に撮像した金閣寺のテンプレート画像Ｔ２である。上記のように、本実施形態では、同一の場所で撮像された場合にのみテンプレート画像Ｔ１、Ｔ２が送信されるので、実際に現地に旅行したユーザのみがこれらのテンプレート画像Ｔ１、Ｔ２を受信することができる。
一方、同一の場所で撮像されたものでない、即ち、異なる場所で撮像されたものであると判定した場合（ステップＳ２０３：ＮＯ）は、当該撮像画像のページを電子書籍データに追加する（ステップＳ２０６）。
【００３９】
次に、携帯端末３の制御部３１は、上記撮像場所の画像としていずれの画像が選択されたかを示す情報（選択結果）を、サーバ装置１に送信する（ステップＳ１０４）。具体的には、制御部３１は、旅行先での撮像画像Ｇ３（図７参照）とステップＳ２０４でサーバ装置１から送信されたテンプレート画像Ｔ１、Ｔ２（図８参照）とのうち、上記撮像場所の画像としてユーザによりいずれの画像が選択されたかを示す情報を、通信部３６を介してサーバ装置１に送信する。なお、上記撮像場所の画像として、図５に示した画像Ｇ１や図６に示した画像Ｇ２を選択することも可能である。
【００４０】
次に、サーバ装置１の制御部１１は、ステップＳ１０４で携帯端末３から送信された選択結果に基づいて、電子書籍データの上記撮像場所のページを更新する（ステップＳ２０５）。即ち、制御部１１は、ステップＳ２０３〜ステップＳ２０５の処理により、ユーザ画像の位置情報と、電子書籍データ内のモデル画像の位置情報とに基づいて、同一の場所であると判定した場合に、当該同一の場所で撮像されたテンプレート画像を記憶部１４から取得し、携帯端末３においてテンプレート画像の背景画像として選択された画像に、ユーザ画像を合成する。図９は、ステップＳ１０４でテンプレート画像Ｔ１が選択された場合に、撮像画像Ｇ３の背景をテンプレート画像Ｔ１に置き換えた画像Ｇ４を示す図である。なお、電子書籍データの上記撮像場所のページの画像Ｇ４において、実際に撮像された画像Ｇ３内のユーザ画像Ｕ２の代わりに、画像Ｇ１内のモデル画像Ｍ１や画像Ｇ２内のユーザ画像Ｕ１を選択可能としてもよい。
【００４１】
ここで、ユーザが旅行先において、電子書籍データの配信先と提携している店舗を訪問した場合について説明する。
携帯端末３の制御部３１は、ユーザが旅行先の提携店舗を訪問したか否かを判定する（ステップＳ１０５）。具体的には、制御部３１は、現在位置取得部３５により取得された位置情報が、記憶部３４に記憶されている提携店舗情報に含まれる提携店舗の位置情報と一致するか否かを判定し、一致していると判定した場合に、提携店舗を訪問したと判定する。
提携店舗を訪問したと判定した場合（ステップＳ１０５：ＹＥＳ）は、提携店舗を訪問したことを示す情報（訪問結果）を、通信部３６を介してサーバ装置１に送信する（ステップＳ１０６）。
一方、提携店舗を訪問していないと判定した場合（ステップＳ１０５：ＮＯ）は、ステップＳ１０７へと移行する。
【００４２】
次に、サーバ装置１の制御部１１は、ステップＳ１０６で携帯端末３から送信された訪問結果に基づいて、ユーザが訪問した提携店舗に対して広告費を請求する（ステップＳ２０７）。なお、ステップＳ１０５において、提携店舗を訪問していないと判定した場合（ステップＳ１０５：ＮＯ）は、当該ステップＳ２０７の処理をスキップする。
即ち、制御部１１は、ユーザ画像に含まれる位置情報に基づいて、店舗情報（提携店舗情報）に含まれる店舗を訪問したと判定した場合に、当該店舗を訪問したことを示す訪問結果に基づいて、当該訪問された店舗に広告費を請求する広告費請求手段として機能する。
【００４３】
次に、サーバ装置１の制御部１１は、電子書籍データのページを、当該ページ内の画像が撮像された時間順に並び替える（ステップＳ２０８）。具体的には、制御部１１は、電子書籍データの各ページ（例えば、ステップＳ２０５で更新されたページやステップＳ２０６で追加されたページ、未更新のページなど）を、ステップＳ１０３で携帯端末３から送信された撮像時間に基づいて、当該ページ内の画像が撮像された時間順に並び替える。
そして、サーバ装置１の制御部１１は、ステップＳ２０８でページを撮像時間順に並び替えて編集を完了した電子書籍データを、通信部１５を介して携帯端末３に配信する（ステップＳ２０９）。即ち、制御部１１は、配布手段として、通信部１５によるユーザ画像の取得が終了したことを検知すると、画像編集手段により編集された電子書籍データを他の端末（携帯端末３）に配布する。なお、ユーザ登録時に電子書籍データを無償でダウンロードする権利を与えている場合は、ステップＳ２０９での配信時に、ユーザに対して課金するようにしてもよい。これにより、電子書籍の配布を促進すると共に、ユーザ画像による編集の代償として作成コストを得ることができる。また、ステップＳ２０７で提携店舗から広告費を請求できることに鑑みて、ステップＳ２０９での配信についても無償とするようにしてもよい。
【００４４】
次に、携帯端末３の制御部３１は、ステップＳ２０９でサーバ装置１から配信された編集後の電子書籍データを、表示部３３に表示させる（ステップＳ１０７）。
なお、サーバ装置１の制御部１１は、携帯端末３から編集後の電子書籍データのフィードバックを受けることで、当該フィードバックされた電子書籍データを、次回以降の電子書籍データのテンプレートとして利用することができる。この場合、電子書籍データの各ページ内のユーザ画像を、モデル画像に置き換えて利用するとよい。
【００４５】
［３．効果］
以上のように、本実施形態に係る情報処理装置としてのサーバ装置１は、モデル画像を含む電子書籍データを記憶する記憶手段（記憶部１４）と、ユーザ画像を取得する画像取得手段（通信部１５）と、画像取得手段により取得されたユーザ画像と、電子書籍データ内のモデル画像とを照合して、照合したモデル画像をユーザ画像に置き換える画像編集手段（制御部１１）と、を備える。
従って、本実施形態に係るサーバ装置１によれば、電子書籍データの画像がユーザ画像によって編集されるので、ユーザの興味を引き付け、電子書籍データの購入のモチベーションを向上させることができる。
【００４６】
また、本実施形態に係るサーバ装置１において、ユーザ画像と、電子書籍データ内のモデル画像とはそれぞれ位置情報を含み、画像編集手段は、ユーザ画像に含まれる位置情報に基づいて、電子書籍データ内のモデル画像を選択して、画像を編集する。
具体的には、本実施形態に係るサーバ装置１の画像編集手段は、ユーザ画像の位置情報と、電子書籍データ内のモデル画像の位置情報とに基づいて、同一の場所であると判定した場合に、当該同一の場所で撮像されたテンプレート画像を取得し、テンプレート画像の背景画像として選択された画像に、ユーザ画像を合成する。
従って、本実施形態に係るサーバ装置１によれば、例えば、ユーザが旅行先で実際に撮像した画像が、その撮影した位置に対応した電子書籍に合成される。また、撮影した場所でのいくつかのパターンで編集されるので、ユーザの位置に応じて更新された電子書籍データを楽しむことができる。
【００４７】
また、本実施形態に係るサーバ装置１の画像編集手段は、ユーザ画像の位置情報と、電子書籍データ内のモデル画像の位置情報とに基づいて、電子書籍データに同一の場所の画像が存在しないと判定した場合に、ユーザ画像を電子書籍データに追加する。
従って、本実施形態に係るサーバ装置１によれば、例えば、場所ベースで編集された電子書籍に対してユーザの位置に応じた固有の画像が追加されていくので、ユーザが訪れた場所に応じて電子書籍がカスタマイズされ、ユーザの個性を反映した電子書籍データを楽しむことができる。
【００４８】
また、本実施形態に係るサーバ装置１において、ユーザ画像は、時間情報を含み、画像編集手段は、置き換えた後の電子書籍データの各ページを、当該ページ内の画像の時間順に並び替える。
従って、本実施形態に係るサーバ装置１によれば、例えば、旅行行程のようにユーザが訪れた時系列で自動的に電子書籍が編集されるので、旅行プラン等を提案する電子書籍を作成することができる。
【００４９】
また、本実施形態に係るサーバ装置１は、画像取得手段によるユーザ画像の取得が終了したことを検知すると、画像編集手段により編集された電子書籍データを他の端末に配布する配布手段（制御部１１）を更に備える。
従って、本実施形態に係るサーバ装置１によれば、編集後の電子書籍データを当事者のみならず、他の携帯端末３にも配布することができるので、複数のユーザに旅行プラン等を提案することができる。
【００５０】
また、本実施形態に係るサーバ装置１において、電子書籍データは、店舗情報を含み、ユーザ画像に含まれる位置情報に基づいて、店舗情報に含まれる店舗を訪問したと判定した場合に、当該店舗を訪問したことを示す訪問結果に基づいて、当該訪問された店舗に広告費を請求する広告費請求手段（制御部１１）を更に備える。
従って、本実施形態に係るサーバ装置１によれば、ユーザが訪問した店舗に対して広告費を請求することができるので、電子書籍による店舗の広告効果を得られると共に、電子書籍の作成コストを得ることができる。
【００５１】
以上、本発明に係る実施形態に基づいて具体的に説明したが、本発明は上記実施形態に限定されるものではなく、その要旨を逸脱しない範囲で変更可能である。
【００５２】
［４．その他の変形例］
（変形例１）
例えば、上記実施形態では、複数の端末装置３と、複数の携帯端末３と通信ネットワークＮを介して接続され、電子書籍データを配信するサーバ装置１と、を備える情報処理システム１００を例示し、サーバ装置１を本発明の情報処理装置として説明したが、携帯端末３を本発明の情報処理装置とすることも可能である。
【００５３】
変形例１に係る情報処理システム１００における携帯端末３及びサーバ装置１の具体的な動作について、図１０のフローチャートを参照して説明する。
【００５４】
携帯端末３の制御部３１は、ユーザにより電子書籍データを表示部３３に表示させるための所定の操作が行われたことを検出すると、ダウンロードして記憶手段としての記憶部３４に記憶されている電子書籍データの各ページ内のモデル画像を、画像取得手段としての撮像部３７により取得され記憶部３４に記憶されているユーザ画像に置き換える（ステップＳ３０１）。具体的には、制御部３１は、画像編集手段として、撮像部３７により取得されたユーザ画像と、電子書籍データ内のモデル画像とを照合して、照合したモデル画像をユーザ画像に置き換える。照合方法としては、例えば、顔認識や位置情報の照合等があげられる。例えば、制御部３１は、図５及び図６に示すように、電子書籍データの金閣寺を特集するページの画像Ｇ１内で金閣寺を背景として写っているモデルの画像Ｍ１を、記憶部３４に記憶されているユーザ画像Ｕ１に置き換える。
次に、携帯端末３の制御部３１は、ステップＳ３０１でユーザ画像Ｕ１に置換した電子書籍データを、表示部３３に表示させる（ステップＳ３０２）。
【００５５】
次に、携帯端末３の制御部３１は、旅行先において撮像された画像（図７参照）と、当該撮像画像が撮像された場所の位置情報と、に基づいて、当該撮像画像が電子書籍データのページの画像と同一の場所で撮像されたものであるか否かを判定する（ステップＳ３０３）。
同一の場所で撮像されたものであると判定した場合（ステップＳ３０３：ＹＥＳ）は、当該撮像場所で撮像された画像の背景部分のテンプレート画像（図８参照）の送信要求を、通信部３６を介してサーバ装置１に送信する（ステップＳ３０４）。
一方、同一の場所で撮像されたものでない、即ち、異なる場所で撮像されたものであると判定した場合（ステップＳ３０３：ＮＯ）は、当該撮像画像のページを電子書籍データに追加する（ステップＳ３０６）。
【００５６】
次に、サーバ装置１の制御部１１は、上記の撮像場所で撮像された画像の背景部分のテンプレート画像を、通信部１５を介して携帯端末３に送信する（ステップＳ４０１）。
【００５７】
次に、携帯端末３の制御部３１は、上記撮像場所の画像としていずれの画像が選択されたかを示す情報（選択結果）に基づいて、電子書籍データの上記撮像場所のページを更新する（ステップＳ３０５）。
【００５８】
携帯端末３のステップＳ３０７及びステップＳ３０８の処理は、図４のステップＳ１０５及びステップＳ１０６の処理と同様であるので、説明を省略する。
また、サーバ装置１のステップＳ４０２の処理は、図４のステップＳ２０７の処理と同様であるので、説明を省略する。
【００５９】
次に、携帯端末３の制御部３１は、電子書籍データのページを、当該ページ内の画像が撮像された時間順に並び替える（ステップＳ３０９）。具体的には、制御部１１は、電子書籍データのページ（例えば、ステップＳ３０５で更新されたページやステップＳ３０６で追加されたページ、未更新のページなど）を、当該ページ内の画像が撮像された時間順に並び替える。
そして、携帯端末３の制御部３１は、ステップＳ３０９でページを撮像時間順に並び替えて編集を完了した電子書籍データを、表示部３３に表示させる（ステップＳ３１０）。
【００６０】
なお、編集を完了した電子書籍データを、サーバ装置１や他の携帯端末３に配布するようにしてもよい。この場合、制御部３１は、撮像部３７によるユーザ画像の取得が終了したことを検知すると、画像編集手段により編集された電子書籍データを他の端末（サーバ装置１や他の携帯端末３）に配布する配布手段として機能する。
【００６１】
また、変形例１では、ステップＳ４０２の処理をサーバ装置１により行うようにしているが、これに限定されるものではなく、携帯端末３により行うようにしてもよい。これは、携帯端末３が他の携帯端末３に対して、電子書籍データを配布する機能を有する場合に特に有効である。具体的には、携帯端末３の制御部３１は、図１０のステップＳ３０７の処理で提携店舗を訪問したと判定した場合（ステップＳ１０５：ＹＥＳ）に、ステップＳ２０６の処理は行わずに、提携店舗を訪問したことを示す情報（訪問結果）に基づいて、ユーザが訪問した提携店舗に対して広告費を請求する。この場合、制御部３１は、本発明の広告費請求手段として機能する。
【００６２】
以上のように、変形例１に係る情報処理装置としての携帯端末３は、モデル画像を含む電子書籍データを記憶する記憶手段（記憶部３４）と、ユーザ画像を取得する画像取得手段（撮像部３７）と、画像取得手段により取得されたユーザ画像と、電子書籍データ内のモデル画像とを照合して、照合したモデル画像をユーザ画像に置き換える画像編集手段（制御部３１）と、を備える。
従って、本実施形態に係る携帯端末３によれば、電子書籍データの画像がユーザ画像によって編集されるので、ユーザの興味を引き付け、電子書籍データの購入のモチベーションを向上させることができる。
【００６３】
また、変形例１に係る携帯端末３において、ユーザ画像と、電子書籍データ内のモデル画像とはそれぞれ位置情報を含み、画像編集手段は、ユーザ画像に含まれる位置情報に基づいて、電子書籍データ内のモデル画像を選択して、画像を編集する。
具体的には、変形例１に係る携帯端末３の画像編集手段は、ユーザ画像の位置情報と、電子書籍データ内のモデル画像の位置情報とに基づいて、同一の場所であると判定した場合に、当該同一の場所で撮像されたテンプレート画像を取得し、テンプレート画像の背景画像として選択された画像に、ユーザ画像を合成する。
従って、変形例１に係る携帯端末３によれば、例えば、ユーザが旅行先で実際に撮像した画像が、その撮影した位置に対応した電子書籍に合成される。また、撮影した場所でのいくつかのパターンで編集されるので、ユーザの位置に応じて更新された電子書籍データを楽しむことができる。
【００６４】
また、変形例１に係る携帯端末３の画像編集手段は、ユーザ画像の位置情報と、電子書籍データ内のモデル画像の位置情報とに基づいて、電子書籍データに同一の場所の画像が存在しないと判定した場合に、ユーザ画像を電子書籍データに追加する。
従って、変形例１に係る携帯端末３によれば、例えば、場所ベースで編集された電子書籍に対してユーザの位置に応じた固有の画像が追加されていくので、ユーザが訪れた場所に応じて電子書籍がカスタマイズされ、ユーザの個性を反映した電子書籍データを楽しむことができる。
【００６５】
また、変形例１に係る携帯端末３において、ユーザ画像は、時間情報を含み、画像編集手段は、置き換えた後の電子書籍データの各ページを、当該ページ内の画像の時間順に並び替える。
従って、変形例１に係る携帯端末３によれば、例えば、旅行行程のようにユーザが訪れた時系列で自動的に電子書籍が編集されるので、旅行プラン等を提案する電子書籍を作成することができる。
【００６６】
また、変形例１に係る携帯端末３は、画像取得手段によるユーザ画像の取得が終了したことを検知すると、画像編集手段により編集された電子書籍データを他の端末に配布する配布手段（制御部３１）を更に備える。
従って、変形例１に係る携帯端末３によれば、編集後の電子書籍データを当事者のみならず、他の携帯端末３にも配布することができるので、複数のユーザに旅行プラン等を提案することができる。
【００６７】
また、変形例１に係る携帯端末３において、電子書籍データは、店舗情報を含み、ユーザ画像に含まれる位置情報に基づいて、店舗情報に含まれる店舗を訪問したと判定した場合に、当該店舗を訪問したことを示す訪問結果に基づいて、当該訪問された店舗に広告費を請求する広告費請求手段（制御部３１）を更に備える。
従って、変形例１に係る携帯端末３によれば、ユーザが訪問した店舗に対して広告費を請求することができるので、電子書籍による店舗の広告効果を得られると共に、電子書籍の作成コストを得ることができる。
【００６８】
（その他の変形例）
また、上記実施形態では、図４のステップＳ２０１で、電子書籍データの各ページ内のモデル画像を、携帯端末３から送信されたユーザ画像に置き換えるようにしているが、これに限定されるものではない。例えば、従前のモデル画像のページとユーザ画像に置き換えたページとを、従前のモデル画像のページが上面（表示部３３に表示される面）となるように２枚重ねて配置するようにし、ユーザが表示部３３上でページをめくる動作を行った場合に、上面に配置された従前のモデル画像のページがめくられて、下面に配置されたユーザ画像のページが表示されるようにしてもよい。
【００６９】
また、ステップＳ２０９でサーバ装置１から配信された編集後の電子書籍データを、ＳＮＳで利用可能にしてもよい。この場合、電子書籍データの各ページの画像をそのまま表示させるようにしてもよいし、加工して表示させるようにしてもよい。
【００７０】
また、上記実施形態では、ステップＳ２０８で、電子書籍データのページを、当該ページ内の画像が撮像された時間順に並び替えるようにしているが、これに限定されるものではない。例えば、ランダムに並び替えるようにしてもよいし、画像内の観光スポットの名前の五十音順に並び替えるようにしてもよい
【００７１】
また、上記実施形態では、旅行ガイドのモデルの画像をユーザ画像に置き換えるようにしているが、これに限定されるものではない。例えば、ファッション雑誌のモデルの画像や漫画のキャラクターの画像等を、ユーザ画像に置き換えるようにしてもよい。
【００７２】
また、本出願に示す各態様は、プログラムとしても把握することができる。また、処理やステップの順序は、本出願に直接明記のものに限定されず、順序を変更したり、一部の処理をまとめて若しくは随時一部分ずつ実行するよう変更したりすることができる。
【００７３】
その他、サーバ装置及び携帯端末を構成する各装置の細部構成及び各装置の細部動作に関しても、本発明の趣旨を逸脱することのない範囲で適宜変更可能である。
【符号の説明】
【００７４】
１００  情報処理システム
１  サーバ装置（情報処理装置）
１１  制御部（画像編集手段、配布手段、広告費請求手段）
１２  操作部
１３  表示部
１４  記憶部（記憶手段）
１５  通信部（画像取得手段）
２  基地局
３  携帯端末（情報処理装置）
３１  制御部（画像編集手段、配布手段、広告費請求手段）
３２  操作部
３３  表示部
３４  記憶部（記憶手段）
３５  現在位置取得部
３６  通信部
３７  撮像部（画像取得手段）
【図１】
0006040191.tif 000002
【図２】
0006040191.tif 000003
【図３】
0006040191.tif 000004
【図４】
0006040191.tif 000005
【図５】
0006040191.tif 000006
【図６】
0006040191.tif 000007
【図７】
0006040191.tif 000008
【図８】
0006040191.tif 000009
【図９】
0006040191.tif 000010
【図１０】
0006040191.tif 000011